(57)【特許請求の範囲】
【請求項１】
一方の面に断面凸状または凹状で線状に延びた複数の屈折部が長手方向と直交する方向に配列された検出対象となるシート材に対して、スポット光を垂直方向から照射することにより、スポット光を屈折部で屈折させてライン状の屈折光をシート材から透過させ、
シート材から離れかつ前記スポット光の光軸から離れた位置で屈折光を検出することによって、前記スポット光の光軸回りで回転した屈折光の傾き方向と角度とを特定し、
特定された屈折光の傾き方向と角度とに基づいて、屈折部の長手方向の傾き方向と角度とを検出することを特徴とするシート材の方向検出方法。
【請求項２】
前記スポット光は、屈折部の配列ピッチよりも幅広にされ、複数の屈折部に入射されることを特徴とする請求項１記載のシート材の方向検出方法。
【請求項３】
前記スポット光の光軸に向かう方向と直交する直線上における屈折光の位置を検出し、この検出位置から屈折光の傾き方向と角度とを特定することを特徴とする請求項１または２記載のシート材の方向検出方法。
【請求項４】
前記直線上に複数の受光素子が配されたラインセンサにより、屈折光の位置を検出することを特徴とする請求項３記載のシート材の方向検出方法。
【請求項５】
前記シート材が屈折部としてレンチキュラレンズが形成されたレンチキュラシートであることを特徴とする請求項１ないし４のいずれか１項に記載のシート材の方向検出方法。
【請求項６】
一方の面に断面凸状または凹状で線状に延びた複数の屈折部が長手方向と直交する方向に配列された検出対象となるシート材を介して、明部と暗部とが直線状の境界をなす明暗部を観察して前記境界のシャープネスを判定し、
前記明暗部をシート材に垂直な軸回りに回転させたときに前記境界のシャープネスが最も高くなる明暗部の回転方向と角度から前記屈折部の長手方向の傾き方向と角度とを検出することを特徴とするシート材の方向検出方法。
【請求項７】
一方の面に断面凸状または凹状で線状に延びた複数の屈折部が長手方向と直交する方向に配列された検出対象となるシート材に、このシート材と同種の基準シートを重ね合せたときに観察されるモアレの方向と縞数を検出し、このモアレの方向と縞数から前記屈折部の長手方向の傾き方向と角度とを検出することを特徴とするシート材の方向検出方法。
【請求項８】
一方の面に断面凸状または凹状で線状に延びた複数の屈折部が長手方向と直交する方向に配列され、屈折部の長手方向に長尺にされたシート材を所定サイズにカットするシート材の切断方法において、
請求項１ないし７のいずれか１項に記載されたシート材の方向検出方法によってシート材のカットすべき部分の屈折部の長手方向の傾き方向と角度とを検出し、
この検出結果に基づいて、屈折部の長手方向に沿ってカットされるようにカット方向を制御することを特徴とするシート材の切断方法。
【請求項９】
一方の面に断面凸状または凹状で線状に延びた複数の屈折部が長手方向と直交する方向に配列されたシート材の欠陥を光学的に検査する欠陥検査方法において、
請求項１ないし７のいずれか１項に記載されたシート材の方向検出方法によってシート材の検査すべき部分の屈折部の長手方向の傾き方向と角度とを検出し、
この検出結果に基づいて、検査時の光学的条件が一定となるように調整することを特徴とする欠陥検査方法。
【請求項１０】
記録ヘッドによって主走査方向に延びるラインをシート材に順次に記録するプリント方法において、
請求項１ないし７のいずれか１項に記載されたシート材の方向検出方法によって屈折部の長手方向の傾き方向と角度とを検出し、
この検出結果に基づいて、屈折部の長手方向が前記主走査方向と平行となるように、シート材の姿勢を調整してから記録を行うことを特徴とするプリント方法。
【請求項１１】
一方の面に断面凸状または凹状で線状に延びた複数の屈折部が長手方向と直交する方向に配列された検出対象となるシート材に対して、スポット光を垂直方向から照射する検出用光源と、
スポット光が屈折部で屈折されてライン状となって屈折光を、シート材から離れかつ前記スポット光の光軸から離れた位置で検出し、前記スポット光の光軸回りで回転した屈折光の傾き方向と角度とを特定する特定手段と、
前記特定手段の特定結果に基づいて、各屈折部の長手方向の傾き方向と角度とを検出する傾き検出手段とを備えることを特徴とするシート材の方向検出装置。
【請求項１２】
前記検出用光源は、屈折部の配列ピッチよりも幅広にされたスポット光を照射し、複数の屈折部にスポット光を入射させることを特徴とする請求項１１記載のシート材の方向検出装置。
【請求項１３】
前記特定手段は、前記スポット光の光軸に向かう方向と直交する直線上における屈折光の位置を検出することにより、前記スポット光の光軸回りの屈折光の傾き方向と角度とを特定することを特徴とする請求項１１または１２記載のシート材の方向検出装置。
【請求項１４】
前記特定手段は、前記直線上に複数の受光素子が配されたラインセンサを有し、このラインセンサにより、屈折光の位置を検出することを特徴とする請求項１３記載のシート材の方向検出装置。
【請求項１５】
明部と暗部とが直線状の境界をなす明暗部と、
一方の面に断面凸状または凹状で線状に延びた複数の屈折部が長手方向と直交する方向に配列された検出対象となるシート材を介して前記明暗部を撮影する撮像手段と、
前記シート材に垂直な軸回りに前記明暗部を回転させる回転手段と、
前記撮像手段で撮影される撮影画像中の前記境界のシャープネスを判定するシャープネス判定手段と、
前記回転手段によって前記明暗部を回転させたときに、前記シャープネス判定手段で判定されるにシャープネスが最も高くなる前記明暗部の回転方向と回転角度とから前記屈折部の長手方向の傾き方向と角度とを検出する傾き検出手段とを備えることを特徴とするシート材の方向検出装置。
【請求項１６】
一方の面に断面凸状または凹状で線状に延びた複数の屈折部が長手方向と直交する方向に配列された検出対象となるシート材と同種のシートとして形成され、前記シート材に密着される基準シートと、
前記シート材と前記基準シートとの密着部分に照明光を照射する光源と、
前記シート材と前記基準シートとの密着部分からの透過光を受光することにより、密着部分を撮影する撮影手段と、
前記撮影手段でから得られる撮影画像中のモアレの方向と縞数を判定するモアレ判定手段と、
前記モアレ判定手段の判定結果に基づいて、前記屈折部の長手方向の傾き方向と角度とを検出する傾き検出手段とを備えることを特徴とするシート材の方向検出装置。
【発明の詳細な説明】
【技術分野】
【０００１】
本発明は、レンチキュラレンズ等の屈折部が形成されたシート材の方向検出方法及び装置、並びにこのシート材の方向検出方法を利用したシート材の切断方法、欠陥検査方法及びプリント方法に関するものである。
【背景技術】
【０００２】
断面が半円形で線状に延びたレンチキュラレンズを左右方向に多数並べたレンチキュラシートを用いて、立体画像を観察できるようにした技術が知られている。これは、レンチキュラシートの背面側に、例えば左右の２視点から撮影した各視点画像をそれぞれ線状（ストライプ状）に分割した線状画像を交互に配置するとともに、１個のレンチキュラレンズの下に、隣接する２つの線状画像を位置させたものである。また、ｎ個（ｎは３以上）の視点画像を撮影し、これらを線状に分割して、１個のレンチキュラレンズの背後に、Ｎ個の線状画像を並べて配置することによって、立体感を更に向上させる技術も知られている。
【０００３】
レンチキュラシートの背面側に線状画像を配置する手法としては、予め全ての線状画像を配列して記録したプリント（ハードコピー）をレンチキュラシートの背面に貼り付けるものもあるが、レンチキュラシートの背面に直接に線状画像を記録するプリンタも知られている。
【０００４】
レンチキュラシートの背面に直接に画像を記録する場合に、線状画像をレンチキュラレンズに対して傾くことなく記録する必要がある。例えば、プリンタの記録ヘッドが主走査方向に延びるラインを順次に記録し、１つの線状画像を１本あるいは数本のラインで記録する場合では、予め決まっている主走査方向に対してレンチキュラレンズの長手方向を平行とする必要がある。そこで、レンチキュラシートのエッジを基準にして、主走査方向にレンチキュラレンズの長手方向が平行となるように、レンチキュラシートの姿勢を調節するものも知られている。
【０００５】
一方、レンチキュラシートにレーザ光を照射し、レンチキュラレンズからの反射光を受光することによりレンズ位置を検出して、画像の記録開始位置を決めるようにしたプリンタが知られている（特許文献１参照）。このプリンタによれば、線状画像の記録位置を精密に制御することができ、レンチキュラレンズに対して、各線状画像を正しく配置することができる。
【先行技術文献】
【特許文献】
【０００６】
【特許文献１】特開２０００−２９２８７１号公報
【発明の概要】
【発明が解決しようとする課題】
【０００７】
上記のようにレンチキュラシートのエッジを基準にして、レンチキュラシートの姿勢を調節する手法は、レンチキュラシートのエッジがレンチキュラレンズの長手方向（ないし各レンズの境界線）に対して一定の角度、例えば平行になっていることを前提にしている。また、特許文献１のように画像の記録開始位置を特定できても、記録ヘッドに対してレンチキュラシートの姿勢が正しく調節されてなくては、レンチキュラレンズに対して線状画像を正しく記録できない。
【０００８】
ところで、レンチキュラシートは、打抜きなどで長尺なものを所定のサイズにカットすることにより作製されるが、レンチキュラレンズの長手方向に対してカット方向にズレがあると、作製されたレンチキュラシートのエッジに対してレンズの長手方向が、例えば平行にならならず、製品として不適当なものになってしまうという問題があった。このため、レンチキュラレンズの長手方向を正確に検出する必要がある。また、レンチキュラシートの欠陥を検査する際に、レンチキュラレンズの長手方向を基準に検査条件を設定する場合などにおいても、レンチキュラレンズの長手方向を正確に検出する必要がある。
【０００９】
本発明は、上記課題を鑑みてなされたものであって、シート材に形成されたレンチキュラレンズ等の屈折部の長手方向を正確に検出することができるシート材の方向検出方法及び装置を提供することを目的とし、またこのシート材の方向検出方法を利用したシート材の切断方法、欠陥検査方法及びプリント方法を提供することを目的とする。
【課題を解決するための手段】
【００１０】
上記課題を達成するために、本発明のシート材の方向検出方法では、一方の面に断面凸状または凹状で線状に延びた複数の屈折部が長手方向と直交する方向に配列された検出対象となるシート材に対して、スポット光を垂直方向から照射することにより、スポット光を屈折部で屈折させてライン状の屈折光をシート材から透過させ、シート材から離れかつ前記スポット光の光軸から離れた位置で屈折光を検出することによって、前記スポット光の光軸回りで回転した屈折光の傾き方向と角度とを特定し、特定された屈折光の傾き方向と角度とに基づいて、屈折部の長手方向の傾き方向と角度とを検出するものである。
【００１１】
前記スポット光は、屈折部の配列ピッチよりも幅広にし、複数の屈折部に入射するのがよい。
【００１２】
また、前記スポット光の光軸に向かう方向と直交する直線上における屈折光の位置を検出し、この検出位置から屈折光の傾き方向と角度とを特定するのが簡便である。さらに、前記直線上に複数の受光素子が配されたラインセンサにより、屈折光の位置を検出するのがよい。
【００１３】
前記シート材が屈折部としてレンチキュラレンズが形成されたレンチキュラシートである場合に好適である。
【００１４】
また、本発明のシート材の方向検出方法では、一方の面に断面凸状または凹状で線状に延びた複数の屈折部が長手方向と直交する方向に配列された検出対象となるシート材を介して、明部と暗部とが直線状の境界をなす明暗部を観察して前記境界のシャープネスを判定し、前記明暗部をシート材に垂直な軸回りに回転させたときに前記境界のシャープネスが最も高くなる明暗部の回転方向と角度から前記屈折部の長手方向の傾き方向と角度とを検出するものである。
【００１５】
また、本発明のシート材の方向検出方法では、一方の面に断面凸状または凹状で線状に延びた複数の屈折部が長手方向と直交する方向に配列された検出対象となるシート材に、このシート材と同種の基準シートを重ね合せたときに観察されるモアレの方向と縞数を検出し、このモアレの方向と縞数から前記屈折部の長手方向の傾き方向と角度とを検出するものである。
【００１６】
また、本発明のシート材の切断方法では、上記のシート材の方向検出方法によってシート材のカットすべき部分の屈折部の長手方向の傾き方向と角度とを検出し、この検出結果に基づいて、屈折部の長手方向に沿ってカットされるようにカット方向を制御するものである。
【００１７】
また、本発明の欠陥検査方法では、上記のシート材の方向検出方法によってシート材の検査すべき部分の屈折部の長手方向の傾き方向と角度とを検出し、この検出結果に基づいて、検査時の光学的条件が一定となるように調整するものである。
【００１８】
また、本発明のプリント方法では、上記のシート材の方向検出方法によって屈折部の長手方向の傾き方向と角度とを検出し、この検出結果に基づいて、屈折部の長手方向が前記主走査方向と平行となるように、シート材の姿勢を調整してから記録を行うものである。
【００１９】
本発明のシート材の方向検出装置では、一方の面に断面凸状または凹状で線状に延びた複数の屈折部が長手方向と直交する方向に配列された検出対象となるシート材に対して、スポット光を垂直方向から照射する検出用光源と、スポット光が屈折部で屈折されてライン状となって屈折光を、シート材から離れかつ前記スポット光の光軸から離れた位置で検出し、前記スポット光の光軸回りで回転した屈折光の傾き方向と角度とを特定する特定手段と、前記特定手段の特定結果に基づいて、各屈折部の長手方向の傾き方向と角度とを検出する傾き検出手段とを備えたものである。
【００２０】
前記検出用光源は、屈折部の配列ピッチよりも幅広にされたスポット光を照射し、複数の屈折部にスポット光を入射させるようにするのがよい。
【００２１】
また、前記特定手段は、前記スポット光の光軸に向かう方向と直交する直線上における屈折光の位置を検出することにより、前記スポット光の光軸回りの屈折光の傾き方向と角度とを特定するのが簡便である。さらに、前記特定手段は、前記直線上に複数の受光素子が配されたラインセンサを有し、このラインセンサにより、屈折光の位置を検出するのがよい。
【００２２】
また、本発明のシート材の方向検出装置では、明部と暗部とが直線状の境界をなす明暗部と、一方の面に断面凸状または凹状で線状に延びた複数の屈折部が長手方向と直交する方向に配列された検出対象となるシート材を介して前記明暗部を撮影する撮像手段と、前記シート材に垂直な軸回りに前記明暗部を回転させる回転手段と、前記撮像手段で撮影される撮影画像中の前記境界のシャープネスを判定するシャープネス判定手段と、前記回転手段によって前記明暗部を回転させたときに、前記シャープネス判定手段で判定されるにシャープネスが最も高くなる前記明暗部の回転方向と回転角度とから前記屈折部の長手方向の傾き方向と角度とを検出する傾き検出手段とを備えるものである。
【００２３】
また、本発明のシート材の方向検出装置では、一方の面に断面凸状または凹状で線状に延びた複数の屈折部が長手方向と直交する方向に配列された検出対象となるシート材と同種のシートとして形成され、前記シート材に密着される基準シートと、前記シート材と前記基準シートとの密着部分に照明光を照射する光源と、前記シート材と前記基準シートとの密着部分からの透過光を受光することにより、密着部分を撮影する撮影手段と、前記撮影手段でから得られる撮影画像中のモアレの方向と縞数を判定するモアレ判定手段と、前記モアレ判定手段の判定結果に基づいて、前記屈折部の長手方向の傾き方向と角度とを検出する傾き検出手段とを備えるものである。
【発明の効果】
【００２４】
本発明によれば、検出対象となるシート材に照射した幅広なスポット光が屈折された屈折光を、シート材から離れかつ前記スポット光の光軸から離れた位置で検出して、スポット光の光軸回りで回転した屈折光の傾き方向と角度とを特定するので、それらに基づいて各屈折部の長手方向の傾き方向と角度とを正確に求めることができる。
【００２５】
また、検出対象となるシート材を介して明部と暗部とが直線状の境界をなす明暗部を観察し、その境界のシャープネスが最も高くなる明暗部の回転方向と角度から屈折部の長手方向の傾き方向と角度とを検出するので、各屈折部の長手方向の傾き方向と角度とを正確に求めることができる。さらに、検出対象となるシート材に、これと同種の基準シートを重ね合せたときに観察されるモアレの方向と縞数から屈折部の長手方向の傾き方向と角度とを検出するので、各屈折部の長手方向の傾き方向と角度とを正確に求めることができる。
【００２６】
また、正確に求められた各屈折部の長手方向の傾き方向と角度に基づいて、屈折部の長手方向に沿ってカットされるように、シート材に対するカット方向を制御するので、屈折部の長手方向と、カットによって作製されるシートのエッジとを正確に平行にすることができる。また、正確に求められた各屈折部の長手方向の傾き方向と角度に基づいて、シート材の欠陥検査時の光学的条件が一定となるように調整するので、一定な光学的条件の下で正しく欠陥検査を行うことができる。さらに、正確に求められた各屈折部の長手方向の傾き方向と角度に基づいて、屈折部の長手方向が記録ヘッドの主走査方向と平行となるように、シート材の姿勢を調整してから記録を行うので、ラインを屈折部の長手方向に正確に平行にして記録できる。
【図面の簡単な説明】
【００２７】
【図１】本発明を実施した切断装置の構成を示す斜視図である。
【図２】レンチキュラシートを示す斜視図である。
【図３】レンチキュラレンズの傾きを検出する検出ユニットの構成を示す斜視図である。
【図４】レンチキュラレンズの傾きと屈折光の断面中心の関係を示す説明図である。
【図５】ウエブを通して観察される明部と暗部の境界線のシャープネスの変化を利用してレンチキュラレンズの傾きを検出する検出ユニットの構成を示す斜視図である。
【図６】明部と暗部となるマーク部を示す説明図である。
【図７】境界線のシャープネスが高い状態を示す説明図である。
【図８】境界線のシャープネスが低い状態を示す説明図である。
【図９】基準レンズシートを密着させたときに観察されるモアレを利用してレンチキュラレンズの傾きを検出する検出ユニットの構成を示す斜視図である。
【図１０】モアレの状態の例を示す説明図である。
【図１１】欠陥検査装置を示すブロック図である。
【図１２】プリンタを示すブロック図である。
【発明を実施するための形態】
【００２８】
［第１実施形態］
本発明を実施したシート材の切断装置を図１に示す。切断装置１０は、長尺なシート材としてのウエブ１１を所定サイズに打抜きしてレンチキュラシート１２（図２参照）を作製する。この切断装置１０は、ウエブ１１に形成されたレンチキュラレンズ（以下、単にレンズという）１４の傾き方向と角度とを判定して、その傾き方向と角度とに応じて打抜きのための刃の向きを調節する。なお、この例では、打抜きにより、ウエブ１１からレンチキュラシート１２を作製するが、他の切断手法によって作製してもよい。
【００２９】
図２に示すように、レンチキュラシート１２は、長方形のシート状であり、表面に多数のレンズ１４が配列され、背面が平面になっている。各レンズ１４は、断面半円形で線状に延びており、その長手方向（矢線Ａ方向）に直交する配列方向（矢線Ｂ方向）に多数配列されている。したがって、隣接する各レンズ１４の境界線の方向は、長手方向と同じになっている。
【００３０】
１個のレンズ１４のレンズ幅（配列方向の長さ）は、例えば約０．２５ｍｍとなっており、レンズ１４の配列ピッチもそれと同じになっている。また、レンチキュラシート１２は、例えば短辺が１２７ｍｍ、長辺が１７８ｍｍの２Ｌサイズとなっており、正しく切断された正常なレンチキュラシート１２は、短辺がレンズ１４の長手方向に平行であり、長辺がレンズ１４の配列方向に平行となっている。
【００３１】
なお、説明の便宜上、各図ではレンズ１４を誇張して描いてある。また、上記のレンチキュラシート１２のサイズやレンズ１４のレンズ幅などは一例であり、種々のサイズにすることができる。
【００３２】
図１において、切断装置１０には、ウエブ１１がその製造装置などから供給される。ウエブ１１は、レンチキュラシート１２よりも幅広で、レンズ１４の長手方向に長くなっている。切断装置１０は、搬送機構１５，検出ステージに設けられた検出ユニット１６，切断ステージに設けられた切断ユニット１７から構成される。
【００３３】
搬送機構１５は、切断装置１０内でウエブ１１を搬送するものであり、搬送ローラやモータなどで構成されている。この搬送機構１５は、ウエブ１１を搬送方向（矢線Ｘ方向）に搬送する。この搬送では、ウエブ１１は、表面側を上にした姿勢で、レンズ１４の長手方向に沿って搬送される。ウエブ１１を一定の長さだけ搬送するごとに、切断ユニット１７を作動させて打抜きを行うため、搬送機構１５は、この切断ユニット１７の動作に同期して間欠的にウエブ１１を搬送する。
【００３４】
切断ユニット１７によって上述の正常なレンチキュラシート１２を作製するために、ウエブ１１の搬送は、レンズ１４の長手方向が搬送方向と平行となるように調整されているが、種々の要因により平行とならずウエブ１１が斜行して搬送されることがある。そこで、検出ユニット１６によりレンズ１４の傾き方向と角度θを検出し、その検出結果に基づいて切断ユニット１７によるカット方向を調節する。
【００３５】
検出ユニット１６は、切断ユニット１７よりも搬送路の上流側に配されており、検出用光源２１と、ラインセンサ２２と、判定部２３とからなる。この検出ユニット１６は、ウエブ１１に形成されたレンズ１４の傾き方向とレンズ１４の傾き角度θとを光学的に検出する。レンズ１４の傾き方向は、搬送方向に対するレンズ１４の長手方向の傾き方向であり、レンズ１４の傾き角度θは、搬送方向に対するレンズ１４の長手方向の傾き角度の大きさである。なお、搬送方向を基準方向として、レンズ１４の傾き方向と傾き角度θを検出するが、基準方向はこれに限らず任意に設定することができる。
【００３６】
切断ユニット１７は、ウエブ１１をカットする。この切断ユニット１７は、刃部２５，上下機構２６，回転機構２７から構成される。刃部２５は、ウエブ１１の搬送路の下側に配された固定刃２５ａと、搬送路の上側で固定刃２５ａに対向する位置に配された可動刃２５ｂとからなる。固定刃２５ａは、作製すべきレンチキュラシート１２と同じサイズの開口を有する角筒形状をしており、切断時にウエブ１１の下面を支持する。
【００３７】
可動刃２５ｂは、その下面に刃が形成されている。この可動刃２５ｂは、搬送路から上方に退避してウエブ１１の搬送を許容する上昇位置と、固定刃２５ａとの間にウエブ１１を挟み込んでカットする下降位置との間で移動自在になっている。上下機構２６は、可動刃２５ｂを上昇位置と下降位置との間で移動する。
【００３８】
上記可動刃２５ｂが上下機構２６によって下降位置に移動されることにより、ウエブ１１から長方形のレンチキュラシート１２が打ち抜かれる。レンチキュラシート１２は、固定刃２５ａの中空な内部を通って固定刃２５ａの下側に排出される。
【００３９】
刃部２５は、ウエブ１１の搬送面に垂直、すなわちレンズ１４の配列方向及び長手方向のいずれにも直交する回転軸２８を中心に回動自在となっている。回転機構２７は、モータや回転角度，方向を制御する制御回路などで構成され、刃部２５を回転軸２８を中心に回転する。この回転機構２７は、判定部２３からのレンズ１４の傾き方向と角度θに基づいて、刃部２５の回転方向と角度とを制御する。
【００４０】
斜行していない状態のウエブ１１から正常なレンチキュラシート１２を切断することができる回転位置を基準回転位置としたときに、回転機構２７は、基準回転位置からレンズ１４の傾き方向に、レンズ１４の傾き角度θだけ刃部２５を回転する。これにより、レンズ１４の長手方向に平行な一対の辺、及び配列方向に平行な一対の辺を有する正常なレンチキュラシート１２をウエブ１１から打ち抜く。
【００４１】
図３に示すように、検出用光源２１は、搬送路の上方に配されており、搬送面に垂直な方向からウエブ１１に対してスポット光ＳＰを照射する。この検出用光源２１は、例えば半導体レーザ装置で構成されており、レーザ光をスポット光ＳＰとして出力する。スポット光ＳＰは、搬送方向と直交する方向（矢印Ｙ方向：以下、搬送幅方向という）に幅広なビーム形状にしてある。スポット光ＳＰをウエブ１１に照射すると、このスポット光ＳＰは、ウエブ１１の各レンズ１４の屈折作用によって、レンズ１４の配列方向にライン状に広がる光（以下、屈折光という）ＴＰに変換される。なお、スポット光ＳＰをシート材１１の表面側から照射しているが、背面側から照射するように構成してもよい。
【００４２】
上記のようにスポット光ＳＰを幅広とするのは、検出精度を良くするために複数のレンズ１４にスポット光ＳＰを入射させるためである。すなわち、単一のレンズ１４のみにスポット光ＳＰを入射させて幅広な透過光を生成すると、スポット光ＳＰのレンズ１４に対する照射位置により屈折光ＴＰの強度にバラツキがでること、またレンズ１４のばらつきや偶然にスポット光ＳＰの入射位置に欠陥などの特異点が存在した場合に検出精度が悪くなってしまう懸念があるが、複数のレンズ１４による屈折作用の結果を重ね合せた屈折光ＴＰとすることで検出精度を高くすることができる。
【００４３】
平均的に複数のレンズ１４に入射させるために、スポット光ＳＰの幅は、レンズ１４の配列ピッチ（レンズ幅）以上としてある。この例では、レンズ１４の配列ピッチ及びレンズ幅が０．２５ｍｍであるウエブ１１に対して、スポット光ＳＰは、その搬送幅方向の幅Ｓ１が約５ｍｍ、搬送方向の長さＳ２が約１ｍｍとなっている。
【００４４】
ラインセンサ２２は、複数の受光素子３１をライン状に並べた受光面２２ａを有している。このラインセンサ２２は、ウエブ１１から下方に離されるとともに、屈折光ＴＰを受光出来る範囲内でスポット光ＳＰの光軸ＳＰＬから搬送幅方向に距離Ｚだけ離して配置してある。
【００４５】
上記の光軸ＳＰＬから離す距離Ｚを調整することにより、レンズ１４の傾き角度の検出精度を調整することができる。また、この例では、光軸ＳＰＬから搬送幅方向にラインセンサ２２を距離Ｚだけ離しているが、これは後述するように、屈折光ＴＰの基準からのずれを搬送幅方向を基準にして検出するためである。したがって、光軸ＳＰＬからラインセンサ２２を離す方向は、レンズ１４の傾き方向，角度、レンズ１４の配列方向や基準とする位置などに応じて適宜設定することができる。
【００４６】
ラインセンサ２２は、受光面２２ａを上方に向け、受光素子３１の並ぶ方向が搬送方向と一致する姿勢とされ、その位置からスポット光ＳＰの光軸ＳＰＬに向かう方向と直交する直線上に各受光素子３１が並ぶ向きに配してある。このように配されたラインセンサ２２は、上述のようにレンズ１４の配列方向にライン状に広がる屈折光ＴＰを受光する。
【００４７】
図４に示すように、ウエブ１１のレンズ１４の長手方向が搬送方向と一致しているときには、すなわちレンズ１４の傾き角度θが「０°」であるときには、屈折光ＴＰの断面中心ＴＰ１が搬送幅方向と平行になる。このようにウエブ１１が斜行していないときの断面中心ＴＰ１が受光面２２ａの中央の受光素子（以下、基準受光素子という）３１上になるようにラインセンサ２２を配してある。
【００４８】
スポット光ＳＰは、上述のようにレンズ１４の配列方向の屈折作用によって配列方向に広げられる。このため、ウエブ１１が斜行している（傾き角度θ≠０°）ときには、二点鎖線で示すように、屈折光ＴＰの広がる方向が搬送幅方向に対してレンズ１４の傾き角度θだけ傾く。ウエブ１１が斜行しているときの断面中心ＴＰ１を受光する受光素子（以下、検出受光素子という）３１と基準受光素子３１との距離をＤとしたときに、レンズ１４の傾き角度θとの関係は次の式（１）ようになる。
ｔａｎθ＝［Ｄ／Ｚ］    ・・・（１）
【００４９】
判定部２３は、式（１）の関係から、レンズ１４の傾き角度θを次の式（２）より求める。式（２）中で、距離Ｚは既知である。また、基準受光素子３１に対する検出受光素子３１との受光素子３１のずれの個数をずれ数Ｎ、受光素子３１の既知のピッチをＰとしたときに、「Ｄ＝Ｐ・Ｎ」の関係がある。したがって、受光素子３１のずれ数Ｎを検出することにより、レンズ１４の傾き角度θを求めることができる。
θ＝Ｔａｎ−１［Ｄ／Ｚ］    ・・・（２）
【００５０】
また、判定部２３は、基準受光素子３１に対して検出受光素子３１が搬送路の上流側か下流側かによってレンズ１４の傾き方向を判定する。図４のように搬送方向の下流側に検出受光素子３１がある場合には、ウエブ１１を上方から見て、レンズ１４の傾き方向は反時計方向となり、逆に上流側に検出受光素子３１がある場合には、レンズ１４の傾き方向は時計方向となる。
【００５１】
上記のように、この例においては、ラインセンサ２２によって、搬送幅方向（基準方向）対する屈折光ＴＰのずれを直線方向のずれとして検出し、その結果に基づいて、スポット光ＳＰの光軸回りに回転した屈折光ＴＰの傾き方向，角度θを判定部２３によって特定し、その特定した傾き方向，角度θをレンズの傾き方向，角度θとしている。
【００５２】
ラインセンサ２２のウエブ１１から下方に離す距離、光軸ＳＰＬから離す距離Ｚを設けることによって、基準受光素子３１に対する検出受光素子３１のずれ数Ｎを大きくし、レンズ１４の傾き角度の検出精度を高くしている。この例では、受光素子３１の配列ピッチＰを０．０１ｍｍ、距離Ｚを３００ｍｍとしてあり、レンズ１４の傾き角度θが「０．１°」のときに、ずれ数Ｎを「５２（個）」として、またレンズ１４の傾き角度θが「０．０５°」のときにずれ数Ｎを「２６（個）」として検出することができる。
【００５３】
次に上記構成の作用について説明する。製造装置によって製造されたウエブ１１が切断装置１０に送り込まれ、検出ステージを通って切断ステージに間欠的に搬送される。この搬送中でウエブ１１の搬送が停止している間に、検出用光源２１からのスポット光ＳＰがウエブ１１に向けて照射される。
【００５４】
ウエブ１１に照射されたスポット光ＳＰは、ウエブ１１の複数のレンズ１４に入射する。これにより、スポット光ＳＰは、レンズ１４の配列方向に幅広に広がるようにレンズ１４で屈折されて、屈折光ＴＰとなってウエブ１１を透過する。そして、その一部がラインセンサ２２の受光面２２ａに入射する。屈折光ＴＰが受光面２２ａに入射すると、その屈折光ＴＰが入射している各受光素子３１から入射光量に応じた光電信号が出力され、その光電信号が判定部２３に送られる。
【００５５】
判定部２３では、各受光素子３１からの光電信号に基づいて、各受光素子３１のうちで屈折光ＴＰの断面中心ＴＰ１に対応する検出受光素子３１が特定される。これには、例えば屈折光ＴＰが入射している各受光素子３１を特定してから、それらの受光素子３１の中央に位置する受光素子３１を検出受光素子３１として特定する。
【００５６】
続いて、基準受光素子３１に対する上記のように特定した検出受光素子３１とのずれ数Ｎが求められる。そして、このずれ数Ｎと配列ピッチＰとから距離Ｄが求められ、この距離Ｄと予め設定されている距離Ｚとを上記の式（２）に適用することにより、レンズ１４の傾き角度θが求められる。また、基準受光素子３１に対して検出受光素子３１がいずれの方向にあるかが判定され、これに基づいてレンズ１４の傾き方向が判定される。そして、このように判定されたレンズ１４の傾き方向と角度θが回転機構２７に送られる。
【００５７】
ウエブ１１が送られて、その搬送が停止するごとに、上記のように検出ユニット１６によってスポット光ＳＰの照射と屈折光ＴＰの受光とを行い、その結果に基づいてレンズ１４の傾き方向と角度θが判定されて、回転機構２７に送られる。
【００５８】
レンズ１４の傾き方向と角度θが判定されたウエブ１１の部分が切断ステージに達すると、ウエブ１１の搬送が停止される。回転機構２７により、そのウエブ１１の部分について判定されたレンズ１４の傾き方向と角度θで、基準回転位置から刃部２５が回転されてから、上下機構２６によって可動刃２５ｂが上昇位置から下降位置に移動される。これにより、切断ステージにあるウエブ１１の部分が刃部２５によって打ち抜かれ、レンチキュラシート１２が作製される。
【００５９】
ウエブ１１からレンチキュラシート１２を打ち抜くと、可動刃２５ｂが下降位置から上昇位置に移動される。上昇位置となっている間に、ウエブ１１が一定長送られて、その搬送が再び停止される。そして、このときに切断ステージにあるウエブ１１の部分のレンズ１４の傾き方向と角度θで、刃部２５が基準回転位置から回転された状態とされてから、可動刃２５ｂが下降位置に移動されることにより、ウエブ１１が打ち抜かれて、次のレンチキュラシート１２が作製される。以降、同様にして順次にウエブ１１を打ち抜いてレンチキュラシート１２を次々に作製する。
【００６０】
このようにして刃部２５でウエブ１１を打ち抜いて作製されるレンチキュラシート１２は、短辺がレンズ１４の長手方向に平行であり、かつ長辺がレンズ１４の配列方向に平行となった正常なレンチキュラシート１２となっている。
【００６１】
上記の例では、ラインセンサによって、屈折光を受光しているが、エリアセンサーで受光したり、シート材の下方に配したスクリーンに屈折光を投影し、このスクリーンをラインカメラやエリアカメラで撮影するようにしても良い。また、例えばシート材の下方にシート材と平行に配したスクリーンに屈折光を投影し、そのスクリ−ンを撮影した画像を解析することによって、直接にスポット光の光軸回りに回転した屈折光ＴＰの傾き方向，角度を検出し、これをレンズの傾き方向，角度としてもよい。
【００６２】
さらに、ウエブを間欠的に搬送する場合について説明したが、ウエブを連続搬送する場合にも同様にしてレンズの傾き方向と角度を検出することができる。
【００６３】
［第２実施形態］
第２実施形態は、明部と暗部の直線状の境界がレンズの長手方向と直交する方向になったときに、シート材を介して観察される明部と暗部の境界のシャープネスが最も高くなることを利用して、レンズの長手方向の傾き方向、角度を検出するものである。なお、以下に説明する他は、第１実施形態と同様であり、実質的に同じ構成部材には同一の符号を付してその詳細な説明を省略する。
【００６４】
図５に示すように、この例における検出ユニット１６は、ライトボックス４１、カメラ４２、シャープネス判定部４３、検出部回転機構４４、エンコーダ４５からなる。ライトボックス４１は、検出ステージの搬送路の下側に配され、このライトボックス４１に対向して、搬送路上側にカメラ４２が配されている。
【００６５】
ライトボックス４１は、その内部に光源（図示省略）が配され、上面に明暗部４７が設けられている。明暗部４７は、図６に示すように、搬送幅方向に長くされ、光を拡散する白色の拡散板４７ａと遮光する黒色の遮光板４７ｂとが配されている。明部となる拡散板４７ａと暗部となる遮光板４７ｂは、搬送方向に並べられており、搬送幅方向に平行な直線状の境界４８が形成されている。
【００６６】
カメラ４２は、撮影レンズ、イメージセンサなどで構成され、ウエブ１１を介して明暗部４７を撮影して画像信号を出力する。ライトボックス４１とカメラ４２とは、搬送面に垂直な回転軸５１を中心に回動自在となっており、検出部回転機構４４によって一体に回転される。
【００６７】
シャープネス判定部４３は、カメラ４２からの画像信号に基づいて、ウエブ１１を介して撮影される境界４８のシャープネス（鮮明さ）を判定し、そのシャープネスが最も高くなるように、検出部回転機構４４を介してライトボックス４１とカメラ４２とを回転させる。
【００６８】
ウエブ１１に形成された多数のレンズ１４の屈折作用により、明暗部４７の境界４８がレンズ１４の長手方向と直交しているときには、図７に示すように、境界４８が鮮明な直線となったシャープネスが高い撮影画像が得られる。一方で、境界４８がレンズ１４の長手方向と直交していないときには、図８に示すように、境界４８が不鮮明となりシャープネスの低い撮影画像になる。
【００６９】
そこで、シャープネス判定部４３は、ライトボックス４１とカメラ４２とをウエブ１１に対して回転させながら、各回転位置におけるカメラ４２で撮影される撮影画像から境界４８のシャープネスを判定し、そのシャープネスが最も高くなる回転位置を特定する。これにより、境界４８がレンズ１４の長手方向と直交している状態のライトボックス４１とカメラ４２の回転位置が特定される。
【００７０】
エンコーダ４５は、回転軸５１に取り付けられており、ライトボックス４１とカメラ４２の回転角度と回転方向を検出する。エンコーダ４５で検出される回転角度と回転方向は、例えば境界４８が搬送幅方向と平行になる回転位置を基準にしてあり、レンズ１４の傾き方向と角度と同じになっている。
【００７１】
この例によれば、ウエブ１１の搬送中あるいは搬送停止中に、ウエブ１１を介してカメラ４２で撮影される境界４８のシャープネスをシャープネス判定部４３によって評価しながら、ライトボックス４１とカメラ４２とを回転させる。そして、シャープネスが最も高くなる回転位置を特定し、そのときのエンコーダ４５で検出されている回転角度と回転方向とがレンズ１４の傾き方向と角度とされて、切断ユニット１７に送られる。
【００７２】
上記では、ライトボックスとカメラとを回転させているが、ライトボックスのみを回転させてもよい。また、明暗部としては、明るさあるいは濃度に差のあるものを隣接させて、それらの領域の境界線が直線となるものであればよく、上記の構成のものに限られない。明暗部を、例えば不透明な白板の表面に黒色の帯を記したものとし、この明暗部を照明したものをシート材を介して観察してもよい。
【００７３】
［第３実施形態］
第３実施形態は、シート材と同種の基準レンズシートを重ね合わせたときに、双方のレンズの長手方向が傾いている場合にモアレが観察されることを利用して、レンズの長手方向の傾き方向、角度を検出するものである。なお、以下に説明する他は、第１実施形態と同様であり、実質的に同じ構成部材には同一の符号を付してその詳細な説明を省略する。
【００７４】
図９に示すように、この例における検出ユニット１６は、基準レンズシート６１、昇降機構６２、光源６３、カメラ６４、判定部６５から構成される。基準レンズシート６１は、検出ステージの搬送路下側に配されている。この基準レンズシート６１は、ウエブ１１と同じ仕様になっている。したがって、基準レンズシート６１には、複数のレンチキュラレンズ（以下、基準レンズという）６７が形成されており、それらのサイズや形状、配列ピッチなどはウエブ１１のものと同じになっている。また、基準レンズシート６１には、基準レンズ６７の配列方向に平行なライン６８を記してある。この例では、油性のマーキングペンを用いて一定幅のラインを背面に記した。このライン６８は、ウエブ１１のレンズ１４の傾き方向を判定するために用いられる。
【００７５】
基準レンズシート６１は、ウエブ１１と平行となる姿勢で、基準レンズ６７の長手方向が搬送方向に平行になるように昇降機構６２に取り付けられている。昇降機構６２は、基準レンズシート６１を、ウエブ１１の下面に密着させた密着位置と、密着位置から下方に移動した退避位置との間で移動する。ウエブ１１を搬送している間では、基準レンズシート６１は、退避位置とされ、搬送が停止されてレンズ１４の傾き方向と角度θを検出するときに密着位置とされる。光源６３は、基準レンズシート６１の下方に配されており、照明面６３ａからの照明光で基準レンズシート６１の全面を照明する。なお、基準レンズシート６１の移動方向は、上下方向に限られず、検出対象となるウエブ１１の搬送形態等に応じて適宜変更できる。また、ウエブ１１の搬送面に基準レンズシート６１を配置しておき、ウエブ１１が基準レンズシート６１にほぼ密着した状態で搬送されるように構成してもよい。この場合には、基準レンズシート６１を密着位置と退避位置との間で移動させる必要はない。
【００７６】
基準レンズシート６１に対向して、搬送路上側にカメラ６４が配されている。カメラ６４は、撮影レンズ、イメージセンサなどで構成され、基準レンズシート６１が密着したウエブ１１の密着領域を撮影して画像信号を出力する。すなわち、カメラ６４は、光源６３からの光を基準レンズシート６１、ウエブ１１を介して受光し、撮像画像を生成する。
【００７７】
基準レンズシート６１とウエブ１１の各レンズの長手方向が互いに平行な状態で重なるときにはモアレは観察されない。一方、図１０に模式的に示すように、搬送方向（矢線Ｘ方向）に対して、ウエブ１１のレンズ１４の長手方向（矢線Ａ方向）が傾き角度θ（θ≠０°）であるとき、基準レンズ６７の長手方向を搬送方向と一致させているので、基準レンズシート６１とウエブ１１の各レンズの長手方向が互いに平行ではない状態で重なる。このためモアレが密着領域内に観察される。モアレは、明部７１と暗部７２の周期的な繰り返しの縞模様として観察される。明部７１と暗部７２の繰り返し周期（間隔）は、レンズ１４の傾き角度θが大きくなるほど短くなり、一定サイズの密着領域内で観察される明部７１と暗部７２の本数が多くなる。
【００７８】
また、基準レンズ６７の長手方向に対するレンズ１４の長手方向の傾き方向は、基準レンズ６７の配列方向（矢線Ｙ方向）に対するモアレの縞の延びる方向と同じになる。図１０の例のように、基準レンズ６７の長手方向に対してレンズ１４の長手方向（矢線Ｂ方向）が反時計方向に傾いている場合には、基準レンズ６７の配列方向に対して、モアレの縞の延びる方向もやはり反時計方向となる。
【００７９】
そこで、判定部６５は、カメラ６４で密着領域を撮影した撮影画像内にあるモアレの縞、例えば暗部７２の本数をカウントし、この縞の本数からレンズ１４の傾き角度θを判定する。また、判定部６５は、基準レンズ６７の配列方向と平行にされた撮影画像中のライン６８に対するモアレの縞の傾き方向を判定し、その傾き方向をレンズ１４の傾き方向とする。なお、基準レンズ６７の配列方向に対するモアレの縞の斜行角度は「θ／２」となる。
【００８０】
この例によれば、ウエブ１１の搬送停止ごとに、昇降機構６２によって基準レンズシート６１が密着位置とされて、ウエブ１１の密着領域がカメラ６４で撮影される。この撮影で得られる撮影画像を解析することにより、モアレの縞の本数がカウントされ、その縞の本数に基づいてレンズ１４の傾き角度θが求められる。また、撮影画像中のライン６８に対するモアレの縞の延びる方向の傾き方向が判定され、その傾き方向がレンズ１４の傾き方向とされる。そして、このようにして得られるレンズ１４の傾き方向と角度θが切断ユニット１７に送られる。
【００８１】
なお、上述のように、基準レンズ６７の配列方向（ライン）に対するモアレの縞の延びる方向の傾き角度は「θ／２」となるから、この傾き角度「θ／２」を撮影画像から角度を求めて、レンズ１４の傾き角度θを算出してもよい。また、モアレの縞の周期から傾き角度θを求めてもよい。さらに、ライン６８を用いてレンズ１４の傾き方向を判定しているが、撮影範囲に対する基準レンズ６７の長手方向あるいは配列方向が固定されている場合には、撮影画像から基準レンズ６７の長手方向あるいは配列方向に対するモアレの縞の延びる方向の傾き方向を判断できるので、ライン６８は必ずしも必要ではない。第２実施形態のように基準レンズシートを回転し、モアレの縞が観察されなくなる基準レンズシートの回転角度，方向から、レンズ１４の傾き方向と角度θを求めてもよい。
【００８２】
上記の各実施形態では、ウエブのレンズの傾き方向と角度を検出する例について説明したが、レンズの傾き方向と角度を検出する対象となるシート材は長尺なものに限られない。したがって、カットされたレンチキュラシートのレンズの傾き方向と角度を検出することもできる。
【００８３】
また、各実施形態では、ウエブを切断して所定サイズのレンチキュラシートを作製する切断装置の例について説明したが、レンズの傾き方向と角度を検出する手法は、シート材の検査や、シート材にプリントを行う場合などの各種の用途・装置に利用することができる。
【００８４】
図１１は、シート材の欠陥検査装置の例を示すものである。この欠陥検査装置８１は、検査対象となるウエブ１１が一対の偏光板８２ａ，８２ｂの間を搬送される。偏光板８２ａ，８２ｂは、互いにクロスニコル配置とされている。光源８３は、偏光板８２ａ，８２ｂで挟まれたウエブ１１の部分を偏光板８２ｂを通して照明し、カメラ８４は、照明された部分を偏光板８２ａを通して撮影する。欠陥判定部８５は、カメラ８４で撮影される画像を解析することにより、ウエブ１１の光学的な欠陥の有無を判定する。
【００８５】
偏光板８２ａ，８２ｂは、ウエブ１１に平行な面上で回動自在にされており、検出ユニット１６で検出されたレンズ１４の傾き方向と角度θとに基づいて、例えば偏光板８２ａの偏光方向がレンズ１４の長手方向に平行となるように回転機構８６によって一体に回転される。これにより、ウエブ１１に形成されているレンズ１４の作用による影響をなくすために、偏光板８２ａ，８２ｂは、クロスニコル配置とされながら、偏光板８２ａの偏光方向がレンズ１４の長手方向に平行とした一定の光学的検査条件を満たすように調整される。
【００８６】
この例では、光学的検査条件として偏光板８２ａ，８２ｂの偏光方向とレンズ１４の長手方向の条件を一定にしているが、検査手法や光学的検査条件としては、これに限られるものではない。例えば、カメラ８４の撮影方向などを調整してもよい。
【００８７】
図１２は、プリンタの例を示すものである。プリンタ９１は、サーマルヘッド９２でインクリボン９３を加熱することにより、レンチキュラシート１２の背面に画像を記録する。この記録では、搬送機構９４によってレンチキュラシート１２をレンズ１４の配列方向に１ライン分ずつ送りながら、レンズ１４の長手方向に平行なラインを記録する。
【００８８】
レンズ１４の長手方向に平行なラインを記録するために、検出ユニット１６で検出されたレンズ１４の傾き方向と角度θとに基づいて、搬送機構９４にセットする際のレンチキュラシート１２の姿勢を回転機構９５で調整する。この調整では、サーマルヘッド９２がラインを記録する主走査方向にレンズ１４の長手方向が平行となるようにする。そして、この姿勢を維持しながら搬送機構９４がレンチキュラシート１２を搬送し、この搬送中に記録を行う。
【００８９】
上記では、レンチキュラレンズが形成されたシート材を例にして説明したが、一方の面に線状に延びた屈折部が、その長手方向と直交する方向に複数配列されたシート材に対して本発明を利用することができる。例えば、断面が三角形の線状に延びるプリズムを多数配列したプリズムシートにも利用することができる。屈折部の形状は、レンチキュラレンズのように断面が凸状のものの他に凹状のものであってもよい。
【符号の説明】
【００９０】
１０  切断装置
１１  ウエブ
１２  レンチキュラシート
１４  レンチキュラレンズ
１６  検出ユニット
１７  切断ユニット
２１  検出用光源
２２  ラインセンサ
２３  判定部
２５  刃部
２７回転機構
【図１】
0005475626.tif 000002
【図２】
0005475626.tif 000003
【図３】
0005475626.tif 000004
【図４】
0005475626.tif 000005
【図５】
0005475626.tif 000006
【図６】
0005475626.tif 000007
【図７】
0005475626.tif 000008
【図８】
0005475626.tif 000009
【図９】
0005475626.tif 000010
【図１０】
0005475626.tif 000011
【図１１】
0005475626.tif 000012
【図１２】
0005475626.tif 000013